(57)【特許請求の範囲】
【請求項１】
偏光分離面に直交する２つの端面と、それらの端面に垂直な４つの側面とを有する直方体形状のＰＢＳブロックと、
前記ＰＢＳブロックのいずれか一つの側面に対向配置された光源と、
前記光源と前記ＰＢＳブロックとの間に配置され、前記光源から出射された発散光を有する照明光を、前記光源から射出された発散光よりも発散角の小さい発散光を有する光束で前記ＰＢＳブロックに入射させる照明光学系と、
前記偏光分離面で偏光分離された照明光が出射される前記ＰＢＳブロックの照明光出射面に対向配置される矩形表示領域を有し、前記偏光分離面で偏光分離された照明光を変調光に変調して前記ＰＢＳブロックへと出射する反射型液晶表示素子と、
前記変調光を前記偏光分離面で偏光分離した光を結像して投影像を形成する投影光学系と、を備えるプロジェクタ装置において、
前記照明光学系から出射される光の理想平行光からのズレに起因する前記偏光分離面の偏光分離特性への影響が小さくなるように、前記矩形表示領域の短辺が前記端面と平行となるように前記反射型液晶表示素子を配置したことを特徴とするプロジェクタ装置。
【請求項２】
請求項１に記載のプロジェクタ装置において、
前記光源として面光源を用いたことを特徴とするプロジェクタ装置。
【請求項３】
請求項１または２に記載のプロジェクタ装置において、
前記ＰＢＳブロックに入射する、前記光源から射出された発散光よりも発散角の小さい発散光を有する光束のうち、前記側面または前記端面で全反射されて前記ＰＢＳブロックの前記反射型液晶表示素子が配置される面に入射する光線が、前記矩形表示領域に入射しないように、前記反射型液晶表示素子を配置したことを特徴とするプロジェクタ装置。
【請求項４】
請求項１〜３のいずれか一項に記載のプロジェクタ装置において、
プロジェクタ装置は水平方向に横長の矩形投影像を装置前方に投影するものであって、
前記光源、前記照明光学系、前記ＰＢＳブロックおよび前記反射型液晶表示素子を垂直方向に一列に配置するとともに、前記矩形表示領域の長辺が前記矩形投影像の長辺に対して平行となるように前記反射型液晶表示素子を配置したことを特徴とするプロジェクタ装置。
【請求項５】
請求項１〜３のいずれか一項に記載のプロジェクタ装置において、
プロジェクタ装置は水平方向に横長の矩形投影像を装置前方に投影するものであって、
前記光源、前記照明光学系および前記ＰＢＳブロックを垂直方向に一列に配置するとともに、前記矩形表示領域の長辺が前記矩形投影像の長辺に対して平行となるように、前記反射型液晶表示素子および前記ＰＢＳブロックを投影方向に沿って一列に配置したことを特徴とするプロジェクタ装置。
【発明の詳細な説明】
【技術分野】
【０００１】
本発明は、小型のプロジェクタ装置に関する。
【背景技術】
【０００２】
従来、デジタルカメラ等に搭載される小型のプロジェクタ装置が知られている（例えば、特許文献１参照）。このようなデジタルカメラや携帯機器に搭載されるプロジェクタ装置には、より小型であることが要求される。
【特許文献１】特開２００５−２５０３９２号公報
【発明の開示】
【発明が解決しようとする課題】
【０００３】
しかしながら、小型化により光学性能面において不都合が生じることがある。例えば、プロジェクタ装置では、画像表示装置に画像読み出し用の照明光を入射させる場合、照明光を集光レンズにより平行光に変換し、その平行光を偏光ビームスプリッタ（ＰＢＳ）に通して偏光光を得るようにしている。しかし、小型化のために光源とＰＢＳとを近づけようとすると、集光レンズから出射される光が平行光からずれてしまい、シェーディングが生じるという問題があった。
【課題を解決するための手段】
【０００４】
請求項１に記載の発明は、光分離面に直交する２つの端面と、それらの端面に垂直な４つの側面とを有する直方体形状のＰＢＳブロックと、前記ＰＢＳブロックのいずれか一つの側面に対向配置された光源と、前記光源から出射された前記光源から出射された発散光を有する照明光を、前記光源から射出された発散光よりも発散角の小さい発散光を有する光束で前記ＰＢＳブロックに入射させる照明光学系と、前記偏光分離面で偏光分離された照明光が出射される前記ＰＢＳブロックの照明光出射面に対向配置される矩形表示領域を有し、前記偏光分離面で偏光分離された照明光を変調光に変調して前記ＰＢＳブロックへと出射する反射型液晶表示素子と、前記変調光を前記偏光分離面で偏光分離した光を結像して投影像を形成する投影光学系と、を備えるプロジェクタ装置において、前記照明光学系から出射される光の理想平行光からのズレに起因する前記偏光分離面の偏光分離特性への影響が小さくなるように、前記矩形表示領域の短辺が前記端面と平行となるように前記反射型液晶表示素子を配置したことを特徴とする。
請求項２に記載の発明は、請求項１に記載のプロジェクタ装置において、前記光源として面光源を用いたことを特徴とする。
請求項３に記載の発明は、請求項１または２に記載のプロジェクタ装置において、前記ＰＢＳブロックに入射する、前記光源から射出された発散光よりも発散角の小さい発散光を有する光束のうち、前記側面または前記端面で全反射されて前記ＰＢＳブロックの前記反射型液晶表示素子が配置される面に入射する光線が、前記矩形表示領域に入射しないように、前記反射型液晶表示素子を配置したことを特徴とする。
請求項４に記載の発明は、請求項１〜３のいずれか一項に記載のプロジェクタ装置において、プロジェクタ装置は水平方向に横長の矩形投影像を装置前方に投影するものであって、前記光源、前記照明光学系、前記ＰＢＳブロックおよび前記反射型液晶表示素子を垂直方向に一列に配置するとともに、前記矩形表示領域の長辺が前記矩形投影像の長辺に対して平行となるように前記反射型液晶表示素子を配置したことを特徴とする。
請求項５に記載の発明は、請求項１〜３のいずれか一項に記載のプロジェクタ装置において、プロジェクタ装置は水平方向に横長の矩形投影像を装置前方に投影するものであって、前記光源、前記照明光学系および前記ＰＢＳブロックを垂直方向に一列に配置するとともに、前記矩形表示領域の長辺が前記矩形投影像の長辺に対して平行となるように、前記反射型液晶表示素子および前記ＰＢＳブロックを投影方向に沿って一列に配置したことを特徴とする。  
【発明の効果】
【０００５】
本発明によれば、プロジェクタ装置の小型化に伴って生じる光学性能面への悪影響を低減することができる。
【発明を実施するための最良の形態】
【０００６】
以下、図を参照して本発明を実施するための最良の形態を説明する。本発明によるプロジェクタ装置は、カメラや携帯機器等に搭載される超小型のプロジェクタ装置に関するものである。図１は本実施の形態のプロジェクタ装置が搭載されたデジタルカメラを示す図である。デジタルカメラ１は本体部１０と鏡筒部２０とを有しており、鏡筒部３０は不図示の連結機構により本体部１０に対して回転可能に設けられている。
【０００７】
図１（ａ）は、本体部１０に対して鏡筒部２０を回転させていない状態の非使用状態を示している。本体部１０の上面には、電源スイッチ１０６、撮影動作を行う際に操作するレリーズボタン１０７、プロジェクタ装置（以下ではプロジェクタユニットと呼ぶ）２２のオンオフ操作を行うＰＪボタン１０８が配置されている。
【０００８】
図１（ｂ）は、本体部１０に対して鏡筒部２０を９０度回転した投射状態を示している。鏡筒部２０には撮像素子を備える撮影ユニット２１と、プロジェクタユニット２２とが設けられている。撮影ユニット２１の撮影レンズ２１０は、図１（ａ）の状態における鏡筒２０の上端側に設けられている。一方、プロジェクタユニット２２の投影窓２２ａは鏡筒２０の底面側に設けられている。鏡筒２０を回転して投影窓２２ａカメラ前方に向け、ＰＪボタンをオン操作すると投影画像がカメラ前方に投射される。
【０００９】
なお、プロジェクタユニット２２により投影される画像は、本体部１０に設けられた記録媒体に記憶されている画像データや、撮影ユニット２１により撮影された画像データなどに基づくものである。
【００１０】
図２は、プロジェクタユニット２２の構成を示す図である。プロジェクタユニット２２は、高輝度白色ＬＥＤ等の光源２２１と、集光レンズ２２２と、偏光ビームスプリッタ（ＰＢＳ）２２３と、液晶表示素子２２４と、投影レンズ２２５と、これらを収容するケース２２６とを備えている。液晶表示素子２２４は、ＰＢＳ２２３の側面（照明光出射面）に密着するように設けられている。液晶表示素子２２４には、ＬＣＯＳ等の反射型液晶パネルが用いられている。本実施形態の液晶表示素子２２４はカラータイプの反射型液晶パネルであって、色フィルタを備えた受光素子が２次元的に配列されている。
【００１１】
集光レンズ２２２は、光源２２１からの光を略平行光にしてＰＢＳ２２３へ入射させる。ＰＢＳ２２３には照明光の入射光軸に対して４５度傾いた偏光分離膜２２３ａが形成されており、ＰＢＳ２２３に入射した光のＰ偏光が偏光分離膜２２３ａを透過して液晶表示素子２２４を照明する。
【００１２】
液晶表示素子２２４に入射した光は、液晶層を進行して液晶表示素子２２４の反射電極で反射され、液晶層を逆行して液晶表示素子２２４から射出される。電圧が印加された液晶層は位相板として機能するので、電圧が印加された画素領域に入射したはＰ偏光は、液晶表示素子２２４を出射するときにはＳ偏光となっており、電圧が印加されていない画素領域からはＰ偏光が出射されることになる。例えば、液晶表示素子２２４に白黒画像が表示されている場合、白領域ではＰ偏光がＳ偏光に変調され、黒領域からはＰ偏光が出射される。
【００１３】
このように、液晶表示素子２２４に入射したＰ偏光は、表示されている画像に応じて変調作用を受ける。液晶表示素子２２４から出射された変調光はＰＢＳ２２３へ再び入射し、偏光分離膜２２３ａによって偏光分離される。すなわち、変調光の内のＰ偏光は偏光分離膜２２３ａを透過し、Ｓ偏光が偏光分離膜２２３ａにより投影レンズ２２５の方向へと反射される。偏光分離膜２２３ａで反射されたＳ偏光は、投影レンズ２２５により投影面上に結像される。
【００１４】
図３は液晶表示素子２２４の概略構成を示す図であり、（ａ）は平面図、（ｂ）は側面図である。ＬＣＯＳ表示素子の場合、液晶層を反射電極が形成されたシリコン基板２３１と透明電極が形成されたガラス基板２３０とで挟み込んだ構造を有している。光源２２１からの光はガラス基板側から入射する。２３２はフレキシブルプリント基板（ＦＰＣ）であり、接合部２３４は樹脂等によりモールドされている。破線で示す矩形領域が表示領域２４０であり、この表示領域２４０内に投影像に対応する画像が表示される。
【００１５】
本実施の形態では、表示領域２４０の長辺を符号２４０ａで示し、短辺を符号２４０ｂで示す。そして、図３に示すように、液晶表示素子２２４において長辺２４０ａがある側を長辺側と呼び、短辺２４０ｂがある側を短辺側と呼ぶことにする。
【００１６】
図４（ａ）は、液晶表示素子２２４に表示される画像と、投影画像との関係を示す図である。投影面に正立の矩形投影像が投影されるように、表示領域２４０の長辺２４０ａと投影画像の長辺とが平行となるように液晶表示素子２２４が配置されている。このような配置とすることにより、プロジェクタユニット２２の部品点数の削減および小型化を図ることができる。例えば、図４（ａ）において、投影画像の長辺に対して表示領域２４０の短辺２４０ｂが平行となるように液晶表示素子２２４を配置した場合、投影面に図４（ｂ）のような正立画像を投影するためには、画像を９０度回転するような光学系を設けなければならず、部品点数の増加およびプロジェクタユニットの大型化を招く。
【００１７】
なお、図２および図４（ａ）に示す液晶表示素子２２４の配置は、偏光分離膜２２３ａで分離したＰ偏光を照明光として用いる場合の構成である。一方、Ｓ偏光を照明光として用いる場合には、図４（ｂ）に示すように、ＰＢＳ２２３を挟んで投影レンズ２２５と対向する位置に液晶表示素子２２４を配置する。この場合も、表示領域２４０の長辺２４０ａと投影画像の長辺とが平行となるように液晶表示素子２２４を配置することで、図４（ａ）に示す場合と同様の作用効果を奏することができる。
【００１８】
なお、本実施の形態では、図２に示すＰＢＳ２２３の紙面に垂直な面を側面と称し、４つの側面に垂直な面を端面と称することにする。このようなＰＢＳ２２３は、偏光分離膜を挟むように一対の三角柱を貼り合わせることにより形成することができる。偏光分離面２２３ａはＰＢＳ２２３の両端面に対して垂直に形成され、液晶表示素子２２４はＰＢＳ２２３の側面に設けられる。
【００１９】
ところで、集光レンズ２２２は光源２２１から出射された光を平行光とする光学素子であるが、本実施の形態のように超小型のプロジェクタユニット２２の場合、光源２２１とＰＢＳ２２３との距離が非常に小さくなる。そのため、照明光を理想的な平行光とするのは困難になり、図５に示すように、斜めに出射する光を有する円錐状の光線となってしまう。図５において、（ａ）はＰＢＳを挟んで液晶表示素子２２４と光源２２１とを対向するように配置して、照明光としてＰ偏光を用いる場合を示し、（ｂ）は照明光としてＳ偏光を用いる場合を示す。
【００２０】
また、光源２２１が図６に示すような面光源であった場合には、平行光とはなり得ない。図６は光源２２１が面光源であった場合を示したものであり、面光源の左右両端を出射して表示素子の一点に入射する光は、ＰＢＳの偏光分離膜に入射する際の入射角が互いに異なる。図６においても図５の場合と同様に、（ａ）は照明光としてＰ偏光を用いる場合を示し、（ｂ）はＳ偏光を用いる場合を示す。
《シェーディングの低減》
図５（ａ）において、実線で示す液晶表示素子２２４Ａは、表示領域２４０の短辺２４０ｂの延在方向が図の左右方向になるように配置した場合を示す。一方、二点差線で示す液晶表示素子２２４Ｂは、表示領域２４の長辺２４０ａの延在方向が左右方向になるように配置した場合を示す。また、光線L11，L12は、液晶表示素子２２４Ａの表示領域２４０の左右境界部分（長辺２４０ａの部分）に入射する照明光を示す。一方、光線L21，L22は、液晶表示素子２２４Ｂの表示領域２４０の左右境界部分（短辺２４０ｂの部分）に入射する照明光を示す。
【００２１】
図３に示したように、液晶表示素子２２４の表示領域２４０は長方形であるため、光線L11，L12、L21，L22が偏光分離膜２２３ａに入射する際のそれらの開き角（光軸Ｊに対する傾き角度）は、短辺２４０ｂ部分に入射する光線L21，L22の方が、長辺２４０ａ部分に入射する光線L11，L12、L21よりも大きくなる。
【００２２】
ところで、ＰＢＳ２２３の偏光分離性能は偏光分離膜２２３ａに入射する際の光線の角度によって変化する。図７は、光線の角度αと偏光分離性能との関係を説明する図である。図７（ｂ）は、入射光と偏光分離膜２２３ａとの角度αが３５度の場合と５５度の場合における、Ｐ偏光透過率の一例を模式的に示したものである。
【００２３】
α＝５５度の場合は、波長４５０ｎｍ〜７００ｎｍの範囲で透過率はほぼ一定となっているが、α＝３５度の場合には、波長が７００ｎｍから６００ｎｍまで減少すると透過率も減少し、波長４５０ｎｍ〜６００ｎｍではほぼ一定の値となる。そのため、液晶表示素子２２４上では同一色領域であっても、α＝３５度の光が入射して投影される領域の色は、α＝５５度の光が入射して投影される領域の色よりも赤色を帯びた像となる。このような色つき現象は、一般的にシェーディングと呼ばれる。
【００２４】
図７（ｂ）に示した関係は、図８の太線矢印L100で示すｙｚ面内における角度、すなわち、表示領域２４０の短辺２４０ｂの延在方向の開き角に関して示したものである。一方、図８の細線矢印L200で示すｘｚ面内における角度、すなわち、表示領域２４０の長辺２４０ａの延在方向の開き角に対しては、ｙｚ面内の場合に比べて透過率に対する角度の影響の度合いが小さい。
【００２５】
そこで、本実施の形態では、表示領域２４０の幅が広い長辺延在方向を偏光分離面２２３ａの延在方向（ｘ方向）と一致させるように、液晶表示素子２２４を配置する。すなわち、表示領域２４０の長辺２４０ａはｘ方向に延在し、短辺２４０ｂはｙ方向に延在する。このように配置することにより、シェーディングの影響が大きなｙ方向の開き角を小さく抑えることができ、シェーディングを効果的に抑えることができる。
《ゴースト防止》
図９は、小型化によりＰＢＳ２２３を小さくした場合に問題となる、ゴーストの発生を説明する図である。光源２２１を点光源と仮定した場合、光源２２１から出射された光の内、斜め方向に出射された光の一部（L300）は、ＰＢＳ２２３に入射した後にＰＢＳ２２３の側面で全反射され、符号Ａで示す範囲（全反射光出射領域）から出射される。このＰＢＳブロック内で全反射された光L300が液晶表示素子２２４の表示領域２４０に入射すると、液晶表示素子２２４で反射された後に偏光分離膜２２３ａによって投影レンズ２２５の方向へと反射され、ゴーストの原因となる。
【００２６】
そのため、このようなゴーストを避けるためには、全反射光が出射される範囲Ａよりも内側の領域に表示領域２４０が入るように、ＰＢＳ２２３の寸法を設定する必要がある。図９において、光源２１１と液晶表示素子２２４との距離が一定である場合、ＰＢＳ２２３の図示左右方向の幅寸法が小さくなるほど全反射光が入射する範囲の寸法が大きくなり、逆に幅寸法を大きくすると、全反射光が入射する範囲の寸法が小さくなる。
【００２７】
図１０は、図９の全反射部分の拡大図である。ただし、表示領域の境界を示す破線の位置を、ＰＢＳ２２３の側面の位置と一致するように変更した。この場合、図１０の二点差線で示すように、ＰＢＳ２２３の側面を図示左方向に距離Ａ／２だけ移動すると、すなわち、ＰＢＳ２２３の左右幅寸法をＡだけ大きく設定すると、側面で全反射された光が液晶表示素子２２４の表示領域２４０に入射するのを防止できる。符号Ａで示す部分の寸法は、表示領域の寸法と、図９の円錐状に発散する照明光の発散点から表示領域までの距離とに基づいて推定することができる。
【００２８】
図１１は、図８に示すＰＢＳ２２３および液晶表示素子２２４をｚ軸のマイナス方向から見た図である。ＢＰＳ２２３の長辺方向（図示左右方向）および短辺方向（図示上下方向）の寸法をｘ０，ｙ０とする。すなわちＰＢＳ２２３が直方体の場合を考える。そして、寸法ｘ０が表示領域２４０の長辺２４０ａの寸法ｘ１と等しいと仮定した場合の、全反射光が入射する範囲Ａの寸法をＡｘとする。そのため、寸法ｘ０を次式（１）のように設定すれば、全反射光が表示領域２４０に入射せず、長辺方向に関するゴーストの発生を防止することができる。すなわち、図１１のｘ２は、ｘ２＞Ａｘ／２のように設定される。
【００２９】
ｘ０＞ｘ１＋Ａｘ／２      …（１）
同様に、短辺方向の寸法ｙ０が表示領域２４０の短辺２４０ｂの寸法ｙ１と等しいと仮定した場合の、全反射光が入射する範囲Ａの寸法をＡｙとする。そして、寸法ｙ０を次式（２）のように設定すれば、全反射光が表示領域２４０に入射せず、短辺方向に関するゴーストの発生を防止することができる。すなわち、図１１のｙ２は、ｙ２＞Ａｙ／２のように設定される。なお、図１０からも分かるように、短辺方向の方が範囲Ａが大きくなるので、Ａｙ＞Ａｘとなっている。
【００３０】
ｙ０＞ｙ１＋Ａｙ／２      …（２）
また、図１２のようにＰＢＳ２２３を立方体に設定した場合、すなわちｘ０＝ｙ０と設定した場合、上述した長辺側のゴースト防止条件から、一辺の長さｘ０は式（１）のように設定される。ハッチングを施した領域が、全反射光が出射される全反射光出射領域を示す。表示領域２４０はｘ方向に比べてｙ方向の幅が狭いため、ゴースト防止に関して、ＰＢＳ２２３のｙ方向寸法は表示領域に対して余裕のある寸法となっている。
［変形例］
図１３〜１５は本実施の形態の変形例を示す図である。図１３はカメラ外観を示す図である。図１３に示すカメラ１では、カメラ本体１０内に撮影ユニット２１とプロジェクタユニット２２とが設けられている。撮影ユニット２１は撮像素子２１１を備えており、カメラ前面に設けられた撮影窓２１２を介して被写体像を撮像する。一方、プロジェクタユニット２２もカメラ前面に投影窓２２ａを有しており、カメラ前方に投影像を投射する。
【００３１】
図１４はプロジェクタユニット２２の構成を示す図であり、照明光としてＰ偏光を用いる場合を示す。図１４において、（ａ）はカメラ側面から見た側面図であり、（ｂ）はカメラ後方から見た図である。図２に示すプロジェクタユニット２２と比較すると、投影レンズ２２５の後段に三角プリズム２２７を設けた点が異なり、また、光源２１１、集光レンズ２２，ＰＢＳ２２３はカメラ前面側から背面側に沿って配列されている。投影レンズ２２５からの投影光は三角プリズム２２７によってカメラ前方へ反射され、ケース２２６の開口２２６ａからカメラ前方へと投射される。そして、投影画像の長辺が水平（図示左右方向）に投影されるように、液晶表示素子２２４は、表示領域２４０の長辺２４０ａが水平となるように配置されている。
【００３２】
図１５は、照明光としてＳ偏光を用いる場合の液晶表示装置２２４の配置を示したものである。図１５の場合も、図１４と同様に（ａ）はカメラモジュール２２の側面図、（ｂ）はカメラ後方から見た図である。この場合には、Ｓ偏光の照明光が出射される側面と対向する位置に液晶表示素子２２４が配置される。
【００３３】
なお、上述した実施の形態では、デジタルカメラに搭載されるプロジェクタ装置を例に説明したが、デジタルカメラに限らず携帯電話等の携帯機器に搭載される小型のプロジェクタ装置にも適用することができる。また、本発明の特徴を損なわない限り、本発明は上記実施の形態に何ら限定されるものではない。
【図面の簡単な説明】
【００３４】
【図１】本実施の形態のプロジェクタ装置が搭載されたデジタルカメラを示す図であり、（ａ）は非使用時を示し、（ｂ）は投影時を示す。
【図２】プロジェクタユニット２２の構成を示す図である。
【図３】液晶表示素子２２４の概略構成を示す図であり、（ａ）は平面図、（ｂ）は側面図である。
【図４】液晶表素子２２４と投影画像との位置関係を示す図であり、（ａ）は照明光としてＰ偏光を用いる場合、（ｂ）は照明光としてＳ偏光を用いる場合を示す。
【図５】集光レンズ２２２から出射される光線を説明する図であり、（ａ）は照明光としてＰ偏光を用いる場合、（ｂ）は照明光としてＳ偏光を用いる場合を示す。
【図６】光源として面光源を用いた場合の光線を示す図であり、（ａ）は照明光としてＰ偏光を用いる場合、（ｂ）は照明光としてＳ偏光を用いる場合を示す。
【図７】光線の角度αと偏光分離性能との関係を説明する図である。
【図８】ＰＢＳ２２３と液晶表示装置２２４とを示す斜視図である。
【図９】ゴーストの発生を説明する図である。
【図１０】全反射光出射領域を説明する図である。
【図１１】液晶表示素子２２４の表示領域２４０を説明する図である。
【図１２】ＰＢＳ２２３が立方体の場合の全反射光出射領域を説明する図である。
【図１３】変形例におけるデジタルカメラ１の正面図である。
【図１４】照明光としてＰ偏光を用いる場合のプロジェクタユニット２２の構成を示す図であり、（ａ）はカメラ側面から見た側面図、（ｂ）はカメラ後方から見た図である。
【図１５】照明光としてＳ偏光を用いる場合のプロジェクタユニット２２の構成を示す図であり、（ａ）はカメラ側面から見た側面図、（ｂ）はカメラ後方から見た図である。
【符号の説明】
【００３５】
１：デジタルカメラ、２１：撮影ユニット、２２：プロジェクタユニット、２２１：光源、２２２：集光レンズ、２２３：偏光ビームスプリッタ（ＰＢＳ）、２２３ａ：偏光分離膜、２２４、２２４Ａ、２２４Ｂ：液晶表示素子、２２５：投影レンズ、２２６：ケース、２２７：三角プリズム、２４０：表示領域、２４０ａ：長辺、２４０ｂ：短辺、
【図１】
0004821755.tif 000002
【図２】
0004821755.tif 000003
【図３】
0004821755.tif 000004
【図４】
0004821755.tif 000005
【図５】
0004821755.tif 000006
【図６】
0004821755.tif 000007
【図７】
0004821755.tif 000008
【図８】
0004821755.tif 000009
【図９】
0004821755.tif 000010
【図１０】
0004821755.tif 000011
【図１１】
0004821755.tif 000012
【図１２】
0004821755.tif 000013
【図１３】
0004821755.tif 000014
【図１４】
0004821755.tif 000015
【図１５】
0004821755.tif 000016